(57)【特許請求の範囲】
【請求項１】
ローラ部材と回転動力源との間に配置され、前記回転動力源からの駆動力を前記ローラ部材に伝達するとともに前記ローラ部材の正転と逆転を切替える駆動伝達装置において、
固定ギヤと、
前記固定ギヤに噛合うとともに、前記ローラ部材と同軸上の反転ローラギヤに支点ギヤを介して駆動力を伝達する揺動ギヤと、
前記揺動ギヤを前記固定ギヤとの噛合い方向と前記固定ギヤと離間する方向に移動可能に支持する揺動部材と、
前記固定ギヤと前記回転動力源の間に配置され、前記回転駆動源の逆転時の駆動力を前記揺動ギヤに伝達しないクラッチ機構と、
前記回転動力源とクラッチ機構との間に配置された第１のギヤと噛合う第２のギヤを有し、
前記揺動ギヤが前記揺動部材によって前記固定ギヤと噛合う方向に移動して前記固定ギヤと噛合うことで前記ローラ部材が正転し、前記揺動ギヤが前記固定ギヤから離間する方向に移動して前記第２のギヤと噛合うことで前記ローラ部材が逆転することを特徴とする駆動伝達装置。
【請求項２】
請求項１記載の駆動伝達装置において、
前記クラッチ機構は、前記回転動力源からの駆動力が伝達される入力ギヤと、前記固定ギヤと噛合う出力ギヤと、前記入力ギヤと出力ギヤとの間に介装され、前記回転動力源の正転時に、前記入力ギヤに伝達される駆動力を出力ギヤへと伝達し、前記回転動力源の逆転時に前記入力ギヤに伝達される駆動力を前記出力ギヤへ伝達しないラチェット部を有することを特徴とする駆動伝達装置。
【請求項３】
少なくとも反転ローラと、前記反転ローラを正逆転させる駆動伝達装置を備えた原稿搬送装置において、
前記駆動伝達装置として請求項１または２記載の駆動伝達装置を有することを特徴とする原稿搬送装置。
【請求項４】
画像読取位置に搬送された原稿から画像を読み取る画像読取装置において、
前記画像読取位置に原稿を搬送する手段として請求項３記載の原稿搬送装置を有することを特徴とする画像読取装置。
【請求項５】
記録媒体を給紙する給紙部と、画像読取部と、前記画像読取装置で読取られた画像を形成し、前記給紙部から給紙された記録媒体に、形成した画像を転写する画像形成部とを備え、前記画像読取部を請求項４記載の画像読取装置で構成したことを特徴とする画像形成装置。
【発明の詳細な説明】
【技術分野】
【０００１】
本発明は、正逆両方向に回転可能な動力源を用いて揺動歯車を駆動する駆動伝達装置と、それを用いた原稿搬送装置、画像読取装置及び画像形成装置に関する。
【背景技術】
【０００２】
回転動力源からの駆動力を揺動可能な揺動レバーに回転自在に支持された揺動ギヤを使用し、２系統の動力伝達経路の切り替えを行うことは既に知られている。しかし、今までの揺動ギヤを用いた駆動伝達装置では回転動力源であるモータの回転を反転させたときに、揺動ギヤとこれと噛合うギヤとの間で歯飛びが起きてしまう。そこで、特許文献１では、揺動ギヤを用いた駆動伝達装置において、動力源の逆転時における歯飛びを防ぐ目的で、揺動ギヤをソレノイドとプランジャを用いて固定する方法が開示されている。
【発明の概要】
【発明が解決しようとする課題】
【０００３】
特許文献１では、回転動力源の逆転時に、揺動ギヤをソレノイドとプランジャを用いて固定することで歯飛びを防いでいるが、固定するに際し、ソレノイドとプランジャを用いているので、構造が複雑となる。  
本発明は、回転動力源の回転方向を変更する際に、揺動可能に支持された揺動ギヤの歯飛びを簡易的な手法で防止可能な駆動伝達装置を提供することを、その目的とする。  
本発明は、回転動力源の回転方向を変更する際の揺動ギヤの歯飛びを簡易的な手法で防止して、良好な原稿の搬送を図れる原稿搬送装置及び画像形成装置を提供することを、その目的とする。
【課題を解決するための手段】
【０００４】
本発明にかかる、ローラ部材と回転動力源との間に配置され、回転動力源からの駆動力をローラ部材に伝達するとともにローラ部材の正転と逆転を切替える駆動伝達装置は、固定ギヤと、固定ギヤに噛合うとともに、ローラ部材と同軸上の反転ローラギヤに支点ギヤを介して駆動力を伝達する揺動ギヤと、揺動ギヤを固定ギヤとの噛合い方向と固定ギヤと離間する方向に移動可能に支持する揺動部材と、固定ギヤと回転動力源の間に配置され、回転駆動源の逆転時の駆動力を揺動ギヤに伝達しないクラッチ機構と、回転動力源とクラッチ機構との間に配置された第１のギヤと噛合う第２のギヤを有し、揺動ギヤが揺動部材によって固定ギヤと噛合う方向に移動して固定ギヤと噛合うことでローラ部材が正転し、揺動ギヤが固定ギヤから離間する方向に移動して第２のギヤと噛合うことでローラ部材が逆転することを特徴としている。
【０００５】
本発明に係る駆動伝達装置において、クラッチ機構は、回転動力源からの駆動力が伝達される入力ギヤと、固定ギヤと噛合う出力ギヤと、入力ギヤと出力ギヤとの間に介装され、回転動力源の正転時に、入力ギヤに伝達される駆動力を出力ギヤへと伝達し、回転動力源の逆転時に入力ギヤに伝達される駆動力を出力ギヤへ伝達しないラチェット部を有することを特徴としている。
【０００６】
本発明に係る、少なくとも反転ローラと、反転ローラを正逆転させる駆動伝達装置を備えた原稿搬送装置において、駆動伝達装置として上記何れかに記載の駆動伝達装置を有することを特徴としている。
【０００７】
本発明に係る、画像読取位置に搬送された原稿から画像を読み取る画像読取装置は、画像読取位置に原稿を搬送する手段として上記原稿搬送装置を有することを特徴としている。
【０００８】
本発明に係る画像読取装置は、記録媒体を給紙する給紙部と、画像読取部と、画像読取装置で読取られた画像を形成し、給紙部から給紙された記録媒体に、形成した画像を転写する画像形成部とを備え、画像読取部を上記画像読取装置で構成したことを特徴としている。
【発明の効果】
【０００９】
本発明によれば、揺動可能に支持された揺動ギヤに噛合う固定ギヤと回転動力源との間にクラッチ機構を配置し、回転動力源の逆転時の駆動力が揺動ギヤに伝達しないように構成したので、簡易的な手法により揺動ギヤの歯飛びを防ぐことができるとともに、コスト低減を図ることができる。また、揺動ギヤの歯飛びを防止できるため、良好な原稿搬送を図ることができる。
【図面の簡単な説明】
【００１０】
【図１】本発明に係る駆動伝達装置が適用された原稿搬送装置の概略構成図である。
【図２】本発明に係る駆動伝達装置の基本的な構成を示すとともに、回転動力源の正転方向への回転時の駆動伝達装置の作動状態を示す拡大図である。
【図３】本発明に係る駆動伝達装置の基本的な構成を示すとともに、回転動力源の逆転方向への回転時の駆動伝達装置の作動状態を示す拡大図である。
【図４】揺動ギヤとこれを支持する揺動レバー及び揺動ギヤと噛合うギヤの位置関係を示す模式図である。
【図５】クラッチ機構を備えた駆動伝達装置の分解斜視図である。
【図６】クラッチ機構の構成と、この機構の入出力ギヤと噛合うギヤとの関係を拡大表示した側面図である。
【図７】クラッチ機構の構成と、この機構の入出力ギヤと噛合うギヤとの関係を拡大表示した上面図である。
【図８】本発明に係る原稿搬送装置を有する画像形成装置の概略構成を示す図である。
【発明を実施するための形態】
【００１１】
本発明の特徴的構成は、揺動ギヤを用いた駆動力切替における回転動力源の逆転に際し、揺動ギヤに噛合う固定ギヤと回転動力源との間に一方向伝達機構となるクラッチ機構を介装し、回転動力源逆転時の動力が揺動ギヤに伝達しないようにする点に有る。
【００１２】
以下、図面を用いて本発明の実施の形態について説明する。最初に原稿搬送装置１の基本的な構成を説明し、その後、本発明の特徴部分について説明する。
【００１３】
図１は本発明に係る駆動伝達装置が適用された原稿搬送装置の断面図である。図１において、符号１は原稿搬送装置の一例となる自動原稿搬送装置であり、スキャナー等の画像読取装置２の上部に支軸４５を中心にして開閉可能に取り付けられていて、原稿積置台５に画像面を上にしてページ順にセットされた原稿６を画像読取装置２に１つずつに分離して搬送するものである。
【００１４】
画像読取装置２は、その上面に画像読取位置となるスリットガラス３が設けられており、自動原稿搬送装置１により搬送された原稿６を、スリットガラス３上を通過させることで原稿の画像を読み取る。画像読取装置２は、図示しない操作部からの指示によって片面モードと両面モードを選択でき、その設定されたモードにより原稿６の搬送形態を変更して自動原稿搬送装置１の動作が制御される。
【００１５】
自動原稿搬送装置１は、ピックアップローラ７を備えている。このピックアップローラ７は、通常、原稿積置台５と所定間隔を空けて待機しており、原稿積置台５に原稿６がセットされたことを原稿積置センサ８により検知され、かつ、図示しない操作部上で読取開始の指示がなされた場合に、待機位置から下降して原稿６の上面と接触する作動位置に移動するように、その位置が制御されている。
【００１６】
自動原稿搬送装置１は、フィードローラ９とリバースローラ１０を備えており、これらローラ９，１０で原稿６を最上位から順次一枚ずつ分離する。リバースローラ１０の替わりに分離パッドを用いてもよい。自動原稿搬送装置１には、ガイド１１、１１ａの間に搬送路（イ）が形成されている。搬送路（イ）分離部を構成するフィードローラ９により分離搬送された原稿６をスリットガラス３上へ搬送させるための経路である。自動原稿搬送装置１には搬送路（ロ）ガイド１２、１２ａの間に搬送路（ロ）が形成されている。搬送路（ロ）は、スリットガラス３上を通って搬送された原稿６を排紙口１３へ移動させるための経路である。符号１４は原稿排紙口１３から排紙された原稿６をスタックするための排紙トレイである。
【００１７】
自動原稿搬送装置１は、スイッチバック搬送路（ハ）を備えている。スイッチバック搬送路（ハ）は、原稿積置台５の下部で、かつ、原稿トレイ１４の上方に設けられたガイド１６とガイド１６ａ，１６ａと分岐爪１７の間に形成されたものであり、原稿排紙口１３から排紙された原稿６をスイッチバックさせて、原稿後端から再び搬送路（イ）に導くためのものである。
【００１８】
分岐爪１７は原稿トレイ１４の上方に設けられ、破線位置に切り替わることにより原稿排紙口１３から排紙された原稿６をスイッチバック経路（ハ）へ導き、原稿６がスイッチバック経路（ハ）内に導入されると、実線位置に切り替わることによりスイッチバック搬送路（ハ）でスイッチバックされた原稿６を後端から、搬送路（ニ）に導くものである。
【００１９】
搬送路（ニ）はガイド１８，１８ａの間に形成されたものであり、その一端が搬送路（イ）と合流しており、スイッチバックされた原稿６を再び読取位置へ搬送するための経路である。
【００２０】
搬送路（ニ）に配置された反転ローラ２６，２６ａは、単独で正転と逆転を切替えるための駆動伝達装置１００によって、その回転方向が制御されることで、スイッチバック搬送路（ハ）へ搬送されてくる原稿６をスイッチバック経路（ハ）内に導入し、その後逆転して、搬送経路（ニ）に原稿６を搬送する。符号２８は、スリットガラス３の手前に配置された読取ローラ対２０と排紙口１３の手前に配置された読取ローラ対２３の間に配置されたセンサで、読取ローラ対２０にて搬送される原稿６の先端と読取開始のタイミングを合わせるためのものである。各ローラ対は単一動力源（一つのモータ）により駆動されている。
【００２１】
次に自動原稿搬送装置１の動作をモード別に説明する。  
（片面モード）
片面モードが設定された状態で図示しない操作部に設けられたスタートキーが押下されると、原稿積置センサ８からの検知信号により原稿積置台５上に原稿６がセットされているか否かがチェックされる。原稿セットが検知されると、図示しないモータが正回転し、ピックアップローラ７が下降し原稿６に押圧されるとともにピックアップローラ７が図中時計方向に回転し、原稿を送りだす。ピックアップローラ７により送り出された原稿６は、フィードローラ９とリバースローラ１０（もしくは分離パッド）にて順次一枚ずつ分離される。ついで、原稿６の先端がセンサ２８に検知されると、読取開始タイミングがとられ、原稿６の先端に合わせて画像読取装置２による原稿読取りが開始される。またセンサ２８により原稿６の後端が検知されると、読取終了のタイミングがとられ、原稿６の後端に合わせて画像読取装置２による読取りが終了される。片面モードにおいて、分岐爪１７は常に図中実線位置あるため、原稿６は、読取後に原稿排紙口１３から排紙トレイ１４に排紙されて、画像面を下に積載されていく。
【００２２】
モータは常に駆動されているが、フィードローラ９と読取ローラ対２０の間に配置された搬送ローラ１９の線速をフィードローラ９の線速に対して早く設定することで、紙間を形成する。すべての原稿６の読取が終了すると、モータが逆転しピックアップローラ７を上昇させて待機位置に移動させる。
（両面モード）
両面モードが設定された状態で図示しない操作部に設けられたスタートキーが押下されると、原稿積置センサ８からの検知信号により原稿積置台５上に原稿６がセットされているか否かがチェックされる。原稿セットが検知されると、モータが正回転し、ピックアップローラ７が下降し原稿６に押圧されるとともにピックアップローラ７が図中時計方向に回転し、原稿６を送り出す。ピックアップローラ７により送り出された原稿６は、フィードローラ９とリバースローラ１０（もしくは分離パッド）にて順次一枚ずつ分離される。
【００２３】
次いで、原稿６の先端がセンサ２８に検知されると、読取開始タイミングがとられ、原稿６の先端に合わせて画像読取装置２による読取りが開始される。またセンサ２８で先端を検知すると、分岐爪１７を図中破線位置に移動し、反転ローラ２６は正転方向（図中時計回り方向）に回転させる。さらに原稿６の先端をセンサ２８にて検知すると、フィードローラ９およびピックアップローラ７の駆動をクラッチなどにより解除し、次の原稿６を給紙せずに待機しておく。センサ２８により原稿６の後端が検知されると、読取終了のタイミングがとられ、原稿の後端にあわせて画像読取装置２により読取が終了される。
【００２４】
自動原稿搬送装置１では、原稿６が原稿排紙口１３からスイッチバック経路（ハ）に搬送される。そしてセンサ２８による検知から所定時間Ｔ後（原稿後端が原稿排紙口１３を完全に抜けるだけの時間を経過した後）に、分岐爪１７を図中実線位置に切り替えるとともに、反転ローラ２６の回転方向を逆転方向（図中反時計回り方向）にし、原稿６を搬送路（ニ）へ導く。搬送路（ニ）に進入した原稿６は搬送路（イ）へ送り込まれる。そして原稿６の先端がセンサ２８に検知されると、表面と同様に、原稿６の裏面の読取動作が行われる。
【００２５】
センサ２８で原稿先端を検出すると、再び分岐爪１７を図中破線位置に移動し、反転ローラ２６は正転方向に回転させる。この時、読取前ローラ対２０と反転ローラ２６は相反する方向へ回転しているが、反転ローラ２６の軸上にトルクリミッタを設けることにより、読取前ローラに従うようになっている。
【００２６】
裏面の読取動作が終了すると、再びスイッチバックされて搬送路（イ）へ送り込まれるが、このとき読取動作は行わない。また、センサ２８により原稿先端が検知されても、分岐爪１７を実線位置の状態にすることで原稿６を排紙トレイ１４に表面を下にして排紙させることとなる。
【００２７】
原稿後端の３回目の通過がセンサ２８によって検知された時点で、原稿積置センサ８が原稿６を検知していたときに、次原稿の給紙動作が行われる。以下、原稿積置センサ８が原稿６を検知しなくなるまで上述の動作を繰り返し行うことにより、原稿積置台５の原稿についての両面原稿処理が終了する。
【００２８】
次に自動原稿搬送装置１に用いた駆動伝達装置１００の基本構成について説明する。  
回転動力源となるモータＭが１つの自動原稿搬送装置１における両面モードでは、反転ローラ２６の回転方向を制御するために、揺動ギヤ３０，３１を使用しているものがあることが知られている（詳しくは特願２００８−１１８７１６を参照）。この構成の一例を図２、図３に示す。
【００２９】
図２は反転ローラ２６が正転方向（図１時計回り方向）に回転しているときの駆動伝達装置１００の図である。駆動伝達装置１００は、互いに噛合う揺動ギヤ３０，３１と、揺動ギヤ３０，３１を保持する揺動部材としての揺動レバー３２を備えている。揺動レバー３２は、支点ギヤ２９に回転可能に支持されている。自動原稿搬送装置１は、支点ギヤ２９を中心に揺動レバー３２を揺動するための電磁アクチュエータとしてのソレノイド３３を備えている。図２においてソレノイド３３はオフ状態である。ソレノイド３３の可動ロッド３３ａには、リンク３５の一端がピン結合されている。リンク３５の他端には、付勢手段となるスプリング３４が係止されている。このため、リンク３５はソレノイド３３がオフ状態のときには、図２においてＡ方向に引っ張られている。
【００３０】
リンク３５に形成された丸穴３５ａは、揺動レバー３２の基端側となる支点ギヤ２９側に設けられた凸部３２ａと回転可能に勘合しており、リンク３５がスプリング３４によってＡ方向に引っ張られることで、揺動レバー３２を反時計回りに回転させるように構成されている。揺動レバー３２の自由端の上部には円弧形状部３２ｂが形成されている。円弧形状部３２ｂの上方には、固定ギヤ３６が配置されていて、円弧形状部３２ｂが固定ギヤ３６の軸３６ａに当たることで、揺動レバー３２の反時計回り方向への回転が規制（停止）される。このときギヤ３７は、モータＭ１によって図２中反時計方向に回転駆動されており、ギヤ３７と噛合うギヤ３８、ギヤ３８と固定ギヤ３６の間に介装されたクラッチ機構５０、固定ギヤ３６と噛合う揺動ギヤ３１、揺動ギヤ３０及び支点ギヤ２９で構成されたギヤ例を介して反転ローラギヤ３９に回転が伝えられ、反転ローラギヤ３９と同軸上の反転ローラギヤ３９と同軸上の反転ローラ２６を正転方向に回転させる。
【００３１】
図３は反転ローラ２６が逆転方向（図１反時計回り方向）に回転しているときの図である。図３では、ソレノイド３３をオンにすることで、スプリング３４の引っ張り力に打ち勝ちながらリンク３５がＢ方向に移動する。リンク３５がＢ方向に引っ張られて移動すると、揺動レバー３２が支点ギヤ２９を中心にして時計回りに移動する。揺動レバー３２は、揺動ギヤ３１の下方に配置されたギヤ４０の軸４０ａに当たることで、時計回り方向への回転が規制（停止）される。また、この時計回り方向への回転により、固定ギヤ３６と揺動ギヤ３１が離間する。固定ギヤ３６と揺動ギヤ３１が離間すると、ギヤ４０と揺動３１が噛合い、モータＭ１の回転方向が図２中反時計方向のままでも、反転ローラギヤ３９が逆方向に回転するため、反転ローラ２６の回転方向を逆転方向に変更することができる。このようにして、モータＭ１の回転方向を変えることなく、反転ローラ２６の回転方向を変更することが可能とされている。
【００３２】
図４に示すように、本形態では、揺動支点となる支点ギヤ２９の回転中心Ａ１と揺動ギヤ３１の回転中心Ａ２を結んだ線Ｚ１と、揺動ギヤ３１と揺動ギヤ３１が歯合する固定ギヤ３６の回転中心Ａ３を結んだ線Ｚ２の角度Ｅを［９０°±圧力角］以内にしている。そのため、揺動レバー３２が揺動する際に揺動ギヤ３１が固定ギヤ３６を回転させることなくスムーズに揺動することが可能に構成されている。仮に角度Ｅを［９０°±圧力角］以内に収めない場合には、揺動レバー３２が揺動する際に揺動ギヤ３１が固定ギヤ３６を回転させながら動くことになるため、負荷が重くなり、スプリング３４やソレノイド３３の力を大きくしなければならないため、コストアップや装置の大型化になる。しかし本形態の構成では、コストアップや装置の大型化を招くことがない。
【００３３】
図４に示すように、本形態では、揺動レバー３２がモータＭ１から受ける力によって、揺動ギヤ３１が固定ギヤ３６に食い込む方向になるように設定している。ここで、モータＭ１の駆動力によって、揺動ギヤ３１が固定ギヤ３６から逃げる方向になっていると、それを防止するために、より強い力で保持しておかなければならないため、これもまたスプリング３４やソレノイド３３の力を大きくする必要につながり、コストアップや装置の大型化になる。しかし本形態では、揺動ギヤ３１が固定ギヤ３６との噛合い方向に移動可能に支持されているので、コストアップや装置の大型化を招くことがない。
【００３４】
図１〜図４で示した自動原稿搬送装置１では、図１に示すピックアップローラ７を上昇させて待機位置へ移動させるために、読取終了時と本体電源投入時にモータＭ１を逆転（図２中時計方向）させている。図４で示したようにモータＭ１の正転（図２中反時計方向）時に揺動ギヤ３１は食い込む方向に力を受けるように設定されているため、モータＭ１の逆転時には正転時とは逆に揺動ギヤ３１は逃げる方向に力を受ける。そのため、揺動ギヤ３１と固定ギヤ３６が離間し、歯飛びが発生するおそれがあった。
（特徴部分）
この歯飛び問題を解消するために、本発明では図２〜図４に示すように、駆動伝達装置１００内にクラッチ機構を装着している。クラッチ機構はワンウェイクラッチ機構５０であり、その方式としては、もっとも構成か簡素で空転トルクの小さい特願平５−２１２６５４に記載の方式を採用した。図２〜図４に示した駆動伝達装置１００に、このワンウェイクラッチ機構５０を装着した場合の斜視図を図５に示す。図６，図７は、図２〜図４に示した駆動伝達装置１００の支持ギヤ２９とワンウェイクラッチ機構５０と固定ギヤ３６とギヤ３８のみの側面図と上面図をそれぞれ示す。
【００３５】
本発明で採用しているワンウェイクラッチ機構５０は、入力ギヤ４１、出力ギヤ４２、ラチェット部４３の３要素から構成されている。図５，図６に示すように、入力ギヤ４１はギヤ３８と噛合い、出力ギヤ４２は揺動ギヤ３１と噛合う固定ギヤ３６と噛み合っている。ギヤ３８にモータＭ１からの回転駆動力が入力され、ギヤ３８が図２〜図４の図中時計回りで回転した場合（モータ正転時）、入力ギヤ４１は図５において反時計回りで回転する。入力ギヤ４１が反時計回りで回転すると、入力ギヤ４１に側面のラチェット部４３に向かって形成されている凸部４１ａによってラチェット部４３に傾斜して形成された切欠き部４３ａが押され、ラチェット部４３の切欠き部４３ａと反対端部で周方向に形成された複数のラチェット爪４３ｂが出力ギヤ４２の内輪に周方向に形成されて複数の爪部４２ａと係合し、出力ギヤ４２が反時計回りに回転し、駆動力を固定ギヤ３６へと伝達する。
【００３６】
一方、ギヤ３８にモータＭ１からの回転駆動力が入力され、ギヤ３８が反時計回りに回転した場合（モータ逆転時）、入力ギヤ４１は時計回りに回転する。入力ギヤ４１と凸部４１ａが一体で時計回り回転すると、凸部４１ａと切欠き部４３ａが係合し、ラチェット部４３も時計回りに回転する。ラチェット部４３が時計回りに回転すると、ラチェット爪４３ｂの斜面によりラチェット部４３が図６，図７において図面左側に移動し、出力ギヤ４２とは離間するため、駆動力は伝達されない。つまり、出力ギヤ４２が回転しないために、反時計回り時に揺動ギヤ３１と固定ギヤ３６との間で歯飛びが起こることを防ぐことができる。
【００３７】
このため、揺動ギヤ３１と噛合う固定ギヤ３６とモータＭ１との間にワンウェイクラッチ機構５０を配置し、モータ逆転時の駆動力が揺動ギヤ３１に伝達しないように構成したので、簡易的な手法により揺動ギヤ３１の歯飛びを防ぐことができるとともに、コスト低減を図ることができる。また、揺動ギヤ３１の歯飛びを防止できるため、良好な原稿６の搬送を図ることができる。そして、このような自動原稿搬送装置１を備えた画像読取装置２とすることで、良好な原稿６の搬送により、良好な原稿６の読取りを行える。
【００３８】
出力ギヤ４２の爪部４２ａは、ギヤ歯面と同一平面状に設けられているので、ワンウェイクラッチ機構５０の軸線方向への高さを低くすることができ、装置の小型化を図ることができる。
【００３９】
自動原稿搬送装置１の適用形態としては、画像読取装置２に限定されるものではなく、図８に示すように、記録媒体を給紙する給紙部２０１と、画像読取部２０２と、画像読取装置２０２で読取られた画像を形成し、給紙部２０１から給紙された記録媒体に、形成した画像を転写する画像形成部２０３とを備えた画像形成装置２００の、画像読取部２０２に自動原稿搬送装置１を適用しても良いし、画像読取部２０２を画像読取装置２で構成しても良い。
【００４０】
画像形成装置の形式としては、画像読取部２０２で読取られた原稿の画像をインクヘッドからのインクの噴射により記録媒体に転写して画像形成する画像形成装置、あるいは、画像読取部２０２で読取られた原稿の画像に対応した静電潜像を、現像剤となるトナーで現像し、現像したトナー像を直接、あるいは中間転写体を介して記録媒体となる用紙や樹脂フィルムに転写する画像形成装置が挙げられる。
【符号の説明】
【００４１】
２        画像読取装置
３        画像読取位置
６        原稿
２６      ローラ部材（反転ローラ）
３１      揺動ギヤ
３２      揺動部材
３６      固定ギヤ
５０      クラッチ機構
４１      入力ギヤ
４２      出力ギヤ
４３      ラチェット部
２００    画像形成装置
１００    駆動伝達装置
２０１    給紙部
２０２    画像読取部
２０３    画像形成部
Ｍ１      回転動力源
Ｐ        記録媒体
【先行技術文献】
【特許文献】
【００４２】
【特許文献１】特開２０００−２６６１５６号公報
【図１】
0005742182.tif 000002
【図２】
0005742182.tif 000003
【図３】
0005742182.tif 000004
【図４】
0005742182.tif 000005
【図５】
0005742182.tif 000006
【図６】
0005742182.tif 000007
【図７】
0005742182.tif 000008
【図８】
0005742182.tif 000009